(57)【要約】【課題】本発明は、杭頭部の接合構造に関し、従来例では杭頭補強筋の配置が基礎梁主筋の配置と干渉することがあり、配筋作業が困難になるとともに基礎部に対する飲み込み長さが長くなって、基礎部のコストが嵩むことことが課題であって、それを解決することである。【解決手段】外殻鋼管付き遠心力コンクリート杭を構造物の基礎に接合するための杭頭部の接合構造において、杭頭部の周囲に鉛直方向に配筋される複数の杭頭補強筋２が、水平方向で縦横に格子状に配筋される基礎梁主筋３に対して互いに干渉しないで配筋されるように、鋼管の杭頭部５ａにコーナー部用の補強筋プレート４を固着して設けるとともに、前記補強筋プレート４に杭頭補強筋２の下端部２ａを固着して配筋した杭頭部の接合構造１とするものである。【選択図】図１
2015031052.tif 000002
【特許請求の範囲】
【請求項１】
外殻鋼管付き遠心力コンクリート杭を構造物の基礎に接合するための杭頭部の接合構造において、
杭頭部の周囲に鉛直方向に配筋される複数の杭頭補強筋が、水平方向で縦横に格子状に配筋される基礎梁主筋に対して互いに干渉しないで配筋されるように、
鋼管の杭頭部にコーナー部用の補強筋プレートを固着して設けるとともに、
前記補強筋プレートに杭頭補強筋の下端部を固着して杭頭補強筋を配筋すること、
を特徴とする杭頭部の接合構造。
【請求項２】
補強筋プレートは、外殻鋼管付き遠心力コンクリート杭を平面視して、少なくとも４箇所に固着されていること、
を特徴とする請求項１に記載の杭頭部の接合構造。
【請求項３】
補強筋プレートは、側面視して三角形状、半円形状、半楕円形状、Ｌ字型形状のいずれか一つの形状であること、
を特徴とする請求項１または２に記載の杭頭部の接合構造。
【発明の詳細な説明】
【技術分野】
【０００１】
本発明は、例えば、ＳＣ杭（外殻鋼管付き遠心力コンクリート杭：鋼管で被覆した既成コンクリート杭、以下単に鋼管コンクリート杭と称することもある）、鋼管杭、場所打ち鋼管巻杭等における、基礎部に対する杭頭部の接合構造に関するものである。
【背景技術】
【０００２】
従来、ＳＣ杭などの高強度杭においては、技術開発に伴い次第に径の縮小化が進行している。その結果、図７に示すように、ＳＣ杭５の杭頭部５ａに溶接手段で固着される杭頭補強筋２が、周方向に密に配筋される。それにより、図８（Ａ）に示すように、基礎梁主筋３の縦・横に配筋される位置と、前記杭頭補強筋２の周方向の配筋位置とが干渉してしまうおそれがある。このように、杭径の縮小化により杭頭補強筋と基礎梁主筋との交差部の収まりが非常に困難となる。
【０００３】
前記杭頭補強筋の干渉を避けるために必要数の補強筋が確保されないと、杭頭固定時に生じる曲げモーメントを杭頭補強筋だけで処理できなくなり、図８（Ｂ）に示すように、基礎部１２への杭の飲み込み長さを深くして、基礎梁への応力伝達を図る必要がある。その結果、根切り底が下がるので、山留め壁などの設置、基礎フーチングの平面寸法の拡大となり、更に工事コストが嵩むことになる。
【０００４】
そこで、特許文献１に記載されているような、杭頭部の接合構造が提案されている。これは、杭の中心から放射状に複数の鉛直リブを杭頭部の外周面に溶接し、隣接する鉛直リブの先端部同士に鋼板を溶接し、平面視で八角形状の外鋼管を形成してその外周面に複数のアンカー筋が溶接されている。そして、前記外鋼管と杭頭部との間にコンクリートなどの充填材が充填されてなるものが知られている。
【先行技術文献】
【特許文献】
【０００５】
【特許文献１】特開２００６−８３６０９号公報
【発明の概要】
【発明が解決しようとする課題】
【０００６】
しかし、従来の杭頭部の接合構造においては、この場合でも、アンカー筋と基礎梁主筋との干渉が問題となり、充填コンクリートによる接合のため、曲げ応力時の圧縮側の応力伝達が不明確であるという課題がある。本発明に係る杭頭部の接合構造は、このような課題を解決するために提案されたものである。
【課題を解決するための手段】
【０００７】
本発明に係る杭頭部の接合構造の上記課題を解決して目的を達成するための要旨は、外殻鋼管付き遠心力コンクリート杭を構造物の基礎に接合するための杭頭部の接合構造において、杭頭部の周囲に鉛直方向に配筋される複数の杭頭補強筋が、水平方向で縦横に格子状に配筋される基礎梁主筋に対して互いに干渉しないで配筋されるように、鋼管の杭頭部にコーナー部用の補強筋プレートを固着して設けるとともに、前記補強筋プレートに杭頭補強筋の下端部を固着して配筋することである。
【０００８】
前記補強筋プレートは、外殻鋼管付き遠心力コンクリート杭を側面視して、少なくとも４箇所に固着されていることである。また、前記補強筋プレートは、平面視して三角形状、半円形状、半楕円形状、Ｌ字型形状のいずれか一つの形状であることを含むものである。
【発明の効果】
【０００９】
本発明の杭頭部の接合構造によれば、杭頭補強筋を円形状ではなく略四角形状にして均等に間隔を置いて配置することができるようになり、基礎梁主筋との干渉が無くなり、収まりが容易となって施工性が向上する。
また、曲げ抵抗に有効な杭頭補強筋を増やすことができるので、フーチングへの杭の飲み込み長さを短くすることができる。その結果、基礎部のコストダウンを図ることができる。
更に、杭頭の曲げ応力を求める際、前記杭頭補強筋を四角形の輪郭を形成するように配置できるので、ＲＣ柱評価式で代替えでき、簡便な評価手法で外殻鋼管付き遠心力コンクリート杭の杭頭処理ができると言う優れた効果を奏するものである。
【図面の簡単な説明】
【００１０】
【図１】本発明に係る杭頭部の接合構造１を示す斜視図である。
【図２】同本発明の杭頭部の接合構造１の平面図である。
【図３】本発明に係る杭頭部の接合構造１による杭頭補強筋と、基礎梁主筋との配筋による干渉位置関係を示す平面図である。
【図４】同本発明の他の実施例に係る杭頭部の接合構造１ａを示す斜視図である。
【図５】本発明に係る杭頭部の接合構造１と、従来例に係る杭頭部の接合構造１１とにおける、杭頭補強筋の曲げ抵抗に有効な鉄筋の本数の相違を比較して示す概念図（Ａ），（Ｂ）である。
【図６】本発明に係る杭頭部の接合構造１と従来例に係る杭頭部の接合構造１１とにおける、許容曲げモーメントを比較した特性曲線図である。
【図７】従来の杭頭部の接合構造１１を示す平面図である。
【図８】従来の杭頭部の接合構造１１における基礎梁主筋との配筋による干渉位置関係を示す平面図（Ａ）、同ＳＣ杭５による基礎部１２への食い込み長さを示す断面図（Ｂ）である。
【発明を実施するための形態】
【００１１】
本発明に係る杭頭部の接合構造１は、図１乃至図３に示すように、杭頭補強筋２の配置が、基礎梁主筋３と干渉しない配置となるようにするため、補強筋プレート４をＳＣ杭５の杭頭部５ａに設けたものである。
【実施例１】
【００１２】
前記杭頭部の接合構造１は、図１乃至図３に示すように、外殻鋼管付き遠心力コンクリート杭（ＳＣ杭等）５を、構造物の基礎部１２（図８（Ｂ）参照）に接合するための杭頭部の接合構造において、杭頭部５ａの周囲に鉛直方向に配筋される複数の杭頭補強筋２が、水平方向で縦横に格子状に配筋される基礎梁主筋３に対して互いに干渉しないで配筋されるように、鋼管の杭頭部５ａにコーナー部用の補強筋プレート４を固着して設けるとともに、前記補強筋プレート４に杭頭補強筋２の下端部２ａを固着して配筋する。
【００１３】
前記補強筋プレート４は、図２に示すように、鋼管コンクリート杭５を平面視して、少なくとも４箇所に固着されている。また、この補強筋プレート４は、図２に示す例では、平板の鋼製プレート４ａ，４ｂを杭頭部５ａの鋼管に隅肉溶接して三角形状にして固着している。
【００１４】
前記補強筋プレート４は、前述のように２枚の平板を組み合わせるだけでなく、例えば、１枚の板を曲げ加工などして、側面視して三角形状、半円形状、半楕円形状、Ｌ字型形状のいずれか一つの形状にして、杭頭部５ａにプレートの両側端部を隅肉溶接して固着することができる。１枚板であれば、板先端部同士の溶接を省略することができるからである。
【００１５】
他の実施例に係る接合構造１ａは、図４に示すように、補強筋プレート４ａ，４ｂをフランジプレート６と一体化させ、杭頭部５ａの鋼管に固着するものである。接合構造１ａは接合構造１と同様に杭頭補強筋２の下端部２ａを固着して配筋する。接合構造１ａは、補強筋プレート４ａ，４ｂをフランジプレート６と一体化させることで、接合構造１と比較して、上下のフランジプレート６に発生する偶力を杭頭部５ａへ確実に伝達することができる。
【００１６】
前記補強筋プレート４は、その縦・横の大きさや板厚の厚さなどに関しては、杭頭部に要求される曲げ抵抗力に対応して、鋼材の許容応力度以下となるように適宜に設計される設計事項である。この補強筋プレート４は、構造物の建築現場のサイト等において、ＳＣ杭５への固着作業が行われて取付けられるものである。
【００１７】
補強筋プレート４は、杭の建込前に固着させることも、また、杭設置後、周辺を掘り出した後、固着させることも可能である。杭建込前に設置する場合には、前記ＳＣ杭５に前記補強筋プレート４が取り付けられた後に、このＳＣ杭５を現場の地盤に、例えば、打込み工法、埋込み工法、圧入工法などのいずれかの適宜な工法にて、貫入させて設置する。
【００１８】
そして、前記補強筋プレート４が露呈するまで掘削し、図１に示すように、この補強筋プレート４に杭頭補強筋２の下端部２ａを溶接手段で隅肉溶接して固着する。その後、前記ＳＣ杭５の杭頭部５ａ周囲を埋め戻す。その後、図３に示すように、基礎梁主筋３の配筋と基礎梁用型枠の設置を行い、コンクリートを型枠内に打設して基礎部１２を構築するものである。
【００１９】
前記基礎梁主筋３の配筋においては、図３に示すように、前記杭頭補強筋２が、基礎梁主筋３の間を縫うように、全体として平面視で四角形状になるように配筋されたので、干渉が無く配筋作業に支障を来すことが無い。よって、基礎梁主筋３の配筋作業がやりやすくなって作業能率が向上するものである。なお、杭頭補強筋２の配置は、四角形状だけに限るのではなく、要は、格子状に配筋される基礎梁主筋３と干渉しない位置に配筋されれば良いのである。
【００２０】
また、図５（Ａ）に示すように、曲げ応力に対する四角形状配列の杭頭補強筋２の曲げモーメント負担率は大きくなる。例えば一事例として、最も曲げモーメントが大きくなるａ範囲内に、曲げて抵抗に有効な鉄筋（Ｄ３８）の杭頭補強筋２が９本あり、図５（Ｂ）に示すように、従来例の周方向の配筋では、ｂ範囲内で５本である。これにより、曲げモーメント負担率が低下する基礎部１２においては、その負担率低下した分だけ配筋・断面が削減できるものである。
【００２１】
また、図５に示すように、杭頭接合部の２例の仮想断面（１２００□、１２００φ）全体の許容曲げモーメントを比較すると、１２００□の方が大きいのが判る。こうして、前記杭頭補強筋２により、杭頭に発生する曲げモーメント・せん断力が、確実に基礎部１２へ伝達されるものである。
【産業上の利用可能性】
【００２２】
本発明に係る杭頭部の接合構造は、鋼管巻きの既成コンクリート杭に広く適用できるほかに、場所打ち鋼管巻杭にも適用できるものである。
【符号の説明】
【００２３】
１          杭頭部の接合構造、                    １ａ      杭頭部の接合構造、
２          杭頭補強筋、                          ２ａ      下端部、
３          基礎梁主筋、
４          補強筋プレート、                      
５          外殻鋼管付き遠心力コンクリート（ＳＣ）杭、
５ａ        杭頭部、
６          フランジプレート、
１１        従来の杭頭部の接合構造、
１２        基礎部。
【図１】
2015031052.tif 000003
【図２】
2015031052.tif 000004
【図３】
2015031052.tif 000005
【図４】
2015031052.tif 000006
【図５】
2015031052.tif 000007
【図６】
2015031052.tif 000008
【図７】
2015031052.tif 000009
【図８】
2015031052.tif 000010